【手続補正書】
【提出日】平成19年9月20日(2007.9.20)
【手続補正１】
【補正対象書類名】明細書
【補正対象項目名】発明の名称
【補正方法】変更
【補正の内容】
【発明の名称】回線交換されるデータ転送及びパケット交換されるデータ転送のためのデュアルポート無線モデム
【手続補正２】
【補正対象書類名】明細書
【補正対象項目名】特許請求の範囲
【補正方法】変更
【補正の内容】
【特許請求の範囲】
【請求項１】  マイクロプロセッサと、
上記マイクロプロセッサに接続され、無線プロトコルスタックとコマンドパーザとデータルータとを備えた読み出し専用メモリと、
上記マイクロプロセッサに接続され、送信バッファを備えたランダムアクセスメモリと、
上記マイクロプロセッサに接続され、無線信号を送受信するように、上記マイクロプロセッサとともに動作するように構成されたＲＦトランシーバと、
上記マイクロプロセッサに接続されたデュアルポートシリアルポートとを備え、上記デュアルポートシリアルポートは１次側のシリアルポートと２次側のシリアルポートとを備え、上記１次側のシリアルポートは、回線交換されるデータ転送のためのデータを受信するように構成され、上記２次側のシリアルポートは、パケット交換されるデータ転送のためのデータを受信するように構成され、
上記コマンドパーザは、上記１次側のシリアルポートを介して受信されたコマンド及び制御信号を検査し、上記データルータは、上記１次側のシリアルポートを介して受信されたデータを、上記ＲＦトランシーバを介して送信するために上記送信バッファに方向付け、上記データルータはさらに、上記２次側のシリアルポートを介して受信されたデータを上記ＲＦトランシーバに方向付ける外部無線モデム。
【請求項２】  上記デュアルポートシリアルポートは、上記２次側のシリアルポートを介してリアルタイム信号を受信することと、上記１次側のシリアルポートを介してコマンド及び制御信号を受信することとを同時に実行するように構成された請求項１記載の外部無線モデム。
【請求項３】  上記デュアルポートシリアルポートは、上記ＲＦトランシーバを用いた上記回線交換されるデータ転送を保持すると同時に、また上記ＲＦトランシーバを用いて、上記パケット交換されるデータ転送を送信するように構成された請求項２記載の外部無線モデム。
【請求項４】  上記無線プロトコルスタックはＧＳＭプロトコルスタック又はＧＰＲＳプロトコルスタックであり、上記パケット交換されるデータ転送はショートメッセージサービスのデータ転送である請求項１記載の外部無線モデム。
【請求項５】  上記コマンドパーザは、上記コマンド及び制御信号に対して上記２次側のシリアルポートをモニタリングするようにさらに構成され、上記データルータは、上記コマンド及び制御信号を処理のために上記２次側のポートから上記ランダムアクセスメモリの実行メモリにわたすように構成された請求項１記載の外部無線モデム。
【請求項６】  ２次側のシリアルポートを介して回線交換されるデータを受信することと、
上記回線交換されるデータをＲＦトランシーバを用いて送信することと、
１次側のシリアルポートを介してパケット交換されるデータを受信することとを含み、上記パケット交換されるデータは、上記回線交換されるデータと同時に受信され、
上記回線交換されるデータを送信するステップを中断することなく、上記パケット交換されるデータを上記ＲＦトランシーバを用いて送信することとを含む、デュアルポートシリアルポートの外部無線モデムにおけるマルチモードデータ転送方法。
【請求項７】  上記１次側のシリアルポートを介して受信された複数のコマンドをパージングすることと、
上記パージングされた複数のコマンドを実行することと、
上記１次側のシリアルポートを介して受信されたデータを送信バッファにルーティングすることとをさらに含み、
上記パケット交換されるデータを上記ＲＦトランシーバを用いて送信するステップは、上記送信バッファにおけるデータを取り出すことを含む請求項６記載の方法。
【請求項８】  上記パージングするステップは、上記２次側のシリアルポートを介して受信された複数のコマンドをパージングすることをさらに含み、上記ルーティングするステップは、上記２次側のシリアルポートを介して受信されたデータをランダムアクセスメモリの実行領域にルーティングすることをさらに含む請求項７記載の方法。
【請求項９】  上記パケット交換されるデータを送信するステップは、ショートメッセージサービスのプロトコルを用いて、上記パケット交換されるデータを上記ＲＦトランシーバを用いて送信することを含む請求項６記載の方法。
【請求項１０】  上記回線交換されるデータを送信するステップは、ＧＳＭプロトコルを用いて、上記回線交換されるデータを上記ＲＦトランシーバを用いて送信することを含む請求項９記載の方法。
【請求項１１】  請求項６乃至１０のうちの任意のものに記載された、デュアルポートシリアルポートの外部無線モデムにおけるマルチモードデータ転送に係るステップを、１つ又はそれ以上のマイクロプロセッサに実行させる、複数の命令にてなる１つ又はそれ以上のシーケンスをそこに記憶したコンピュータが読み取り可能な媒体。
【請求項１２】  マイクロプロセッサを備え、上記マイクロプロセッサに接続された読み出し専用メモリと、上記マイクロプロセッサに接続されたランダムアクセスメモリとを含み、
上記マイクロプロセッサに接続され、回線交換されるデータとパケット交換されるデータとを同時に送信するように構成された無線送受信機手段と、
上記パケット交換されるデータとともにコマンド及び制御信号を受信するための１次側のポートと、上記回線交換されるデータを受信するための２次側のポートとを含み、上記マイクロプロセッサに接続されたマルチポートシリアルポートとを備え、
上記２次側のポートが回線交換されるデータを受信しているとき、上記１次側のポートは、上記回線交換されるデータを中断することなく、パケット交換されるデータを受信するように構成された外部無線モデム。
【請求項１３】  上記回線交換されるデータは、ＧＳＭプロトコルを用いて上記無線送受信機手段によって変調され、上記パケット交換されるデータは、ＳＭＳプロトコルを用いて上記無線送受信機手段によって変調される請求項１２記載の外部無線モデム。
【請求項１４】  上記読み出し専用メモリは、データルーティング手段とＡＴコマンドパーザ手段とを含む実行可能なオブジェクトコードを含み、上記データルーティング手段は、パケット交換されるものを、上記無線送受信機手段と通信する送信バッファに方向付けるように構成され、上記ＡＴコマンドパーザ手段は、上記１次側のポートを介して受信された複数の信号から複数のコマンドを抽出し、上記マイクロプロセッサに、上記実行可能なオブジェクトコードに記憶された複数のコマンドを実行させるように構成された請求項１２記載の外部無線モデム。
【手続補正３】
【補正対象書類名】明細書
【補正対象項目名】０００９
【補正方法】変更
【補正の内容】
【０００９】
ステップ２４４において、ＳＭＳデータ転送が完了したか否かを決定するためのテストが行われる。転送が完了していないとき、処理はステップ２４０に続く。そうでないときは、ステップ２４８において、シリアルポート１２０を介してコマンドが、例えば“ＡＴ０”が受信されて、無線モデム１００に、コンテキストをＣＳＤモードに戻すように切り換えさせる。次に、処理はステップ２１６に続き、ここでＣＳＤ転送が再開される。
【手続補正４】
【補正対象書類名】明細書
【補正対象項目名】００２２
【補正方法】変更
【補正の内容】
【００２２】
図５は無線プロトコルスタック５００を示す。ＧＳＭプロトコルスタック５００の基本的な構成要素は当該技術では公知である。例えば、ＧＳＭプロトコルスタック５００の基本的なソフトウェア構成要素は、ドイツ、ベルリンのデビス・システムハウス（debis Systemhaus）、ドイツ、ハノーバーのＣＯＮＤＡＴ  Ｄａｔｅｎｓｙｓｔｅｍｅ  ＧｍｂＨのようなさまざまなベンダと、他の無線通信ベンダとから利用可能である。１つの実施形態によれば、ＧＳＭプロトコルスタック５００は、さまざまな論理装置で実装するか、又はすでに無線モデムの一部である埋め込まれたマイクロプロセッサによって実行されるコンピュータが読み取り可能なコードで実装することができる。しかしながら、図示されたプロトコルスタック５００は、前述されたＡＴコマンドパーザ４０８とデータルータ４１２とをさらに備えたことにより、既存の無線プロトコルスタックとは異なっている。
【手続補正５】
【補正対象書類名】明細書
【補正対象項目名】００２５
【補正方法】変更
【補正の内容】
【００２５】
移動性管理層５２８は、ＧＳＭネットワークに対する接続を確立し、保持し、かつ解放する。移動性管理層５２８からデータ及び制御が無線資源管理層（ＲＲ）５３２にわたされる。無線資源管理層５３２は、呼に関係した信号方式に対する無線インターフェース（例えばＲＦトランシーバ３１６）と、ＧＳＭネットワークの基地局に対する複数のトラヒックチャンネルとを介して物理的な接続を確立する。